(57)【特許請求の範囲】
【請求項１】
整形外科リハビリテーション分野で使用される整形器具を、人体の各部分に締結するための阻止装置（２０）であり、前記阻止装置（２０）は、摘み（２７）の回転によってリール（２３）に巻回されるケーブル（４０）を収容するケーシング（２１）を含み、前記摘み（２７）は、巻回段階中には前記ケーシング（２１）に規制され、ラチェット式逆止システムに対して操作するために、前記摘み（２７）を押す及び／又は引くことによって前記ケーシング（２１）から部分的に解除可能になり、前記ラチェット式逆止システムは、前記ケーシング（２１）の一部である弾性タブ（３２）、及び前記摘み（２７）の内側歯付縁部（３１）から成る、阻止装置（２０）であって、前記摘み（２７）は、加工頭部付ピン（２５）によって、前記リール（２３）に対して、回転方向に規制され、軸方向には規制されないこと、前記摘み（２７）と前記リール（２３）間の規制は、前記ピン（２５）の加工頭部（２５’）の形状を反映する前記摘み（２７）の加工軸方向開口部（３０）によって達成され、前記ピン（２５）の前記加工頭部（２５’）にある凹形状（３３）及び前記摘み（２７）の前記加工軸方向開口部（３０）にある凸面（３４）によって、確実に、前記摘み（２７）を把持／解除位置に維持し、それにより、前記摘み（２７）を、締着及び阻止段階における前記ラチェット式逆止システムを用いた把持状態から、開放段階における解除状態に、前記リール（２３）に巻回された前記ケーブル（４０）の制御を維持しながら、移動可能にすることを特徴とする阻止装置（２０）。
【請求項２】
前記ケーシング（２１）は、下側グロメット（２２）及び前記ケーブル（４０）が巻回される前記リール（２３）を収容することを特徴とする、請求項１に記載の阻止装置（２０）。
【請求項３】
前記摘み（２７）は、前記ケーシング（２１）の外側に配置され、回転可能に規制されるのみだが、一方で、前記摘み（２７）は、ねじ（２８）によって、前記ピン（２５）から突出する前記加工頭部（２５’）に対して、軸方向に摺動できることを特徴とする、請求項１又は２に記載の阻止装置（２０）。
【請求項４】
前記ケーシング（２１）は、ギアユニット（２４）を包囲すること、前記ピン（２５）は、前記ギアユニット（２４）と係合する歯付リングナット（２６）を備えること、及び前記リール（２３）は、前記ギアユニット（２４）のギアと係合するよう設計された歯付内縁（２９）を有する上側空洞部を含むことを特徴とする、請求項１乃至３の何れか一項に記載の阻止装置（２０）。
【請求項５】
前記摘み（２７）と前記リール（２３）との間の規制は、前記ピン（２５）の前記加工頭部（２５’）の形状に配慮した前記摘み（２７）の前記加工軸方向開口部（３０）によって行われ、その結果回転規制が、前記リール（２３）に対する前記摘み（２７）の軸方向摺動と同時に可能になることを特徴とする、請求項１乃至４の何れか一項に記載の阻止装置（２０）。
【請求項６】
前記摘み（２７）と前記リール（２３）との接続は、前記摘み（２７）を前記摘み（２７）の軸に対して縦方向に摺動可能にするが、前記摘み（２７）を、前記リール（２３）と独立して回転可能にさせず、それにより、径方向の規制を維持することを特徴とする、請求項１乃至５の何れか一項に記載の阻止装置（２０）。
【発明の詳細な説明】
【技術分野】
【０００１】
本発明は、回転操作式摘みシステムによって使用可能な、整形外科リハビリテーション分野における用途の締結具によって係止する装置に関する。
【０００２】
本発明による係止装置は、一定の位置に保持されなければならない整形器具及び／又は支持具のフラップを係止及び／又は閉止するため、整形外科分野で使用されることができる。
【０００３】
既知の解決方法に対して、本発明による係止装置は、拘束ケーブルを巻取るリールに作用する係止摘みが、極めて精確で機能的な方法で締結具を制御でき、特に、微調整を伴う係止ステップと、従来の回転操作式係止システムと比べて高精度で制御されることができる解除ステップの両ステップを完璧なものにすることを提案する。  
【背景技術】
【０００４】
回転可能な摘みによって操作される締結又は係止手段の使用は、多くの用途で長年知られており、現在では主に履物分野で知られ、該手段は、例えば靴又はブーツ等の被係止物の第１フラップに取着されるケーシング、該ケーシングに回転可能に取着されるリール付摘み、ケーブルが巻回されるリールに一端部で取着され、他端部で、ケーシングの外部で、被係止物の第２フラップに取着される少なくとも１本のケーブルから成る。
【０００５】
一例として、特に履物分野に関するこの種の締結手段は、欧州特許第１２１３９８１Ｂ１号（特許文献１）及び欧州特許第２７８９２５１Ａ１号（特許文献２）に記載されている。摘みを操作することによって、リールを回転でき、該回転で、ケーブルを巻取ることによって、正確な係止度を達成するために、ケーブルの両端に取着された２フラップを、互いに接近させる。
【０００６】
回転可能な摘みは、従って、ケーシングの外部に配置され、手動制御によってリールを回転させて、係止ケーブルを締着するように設計されている。また、摘みとリールは、互いから軸方向に解除されることができ、それにより摘みは、リールを用いて、把持位置から、ケーブルがリールから巻戻しされ、締結具を解除する解除位置に移動されることができる。
【０００７】
一回転方向において所望位置でリールを阻止するよう設計され、反対方向においてリールを解除するよう設計された機械的手段は、摘みとリールとの間に存在する。
【０００８】
これらの機械的手段は、リールが備えられた、一般的にラチェット式の、拘束手段と、係止ステップにおいて、相互作用する歯車機構から成り、摘みが、ケーブルが引張られ、係止される下降把持位置から移動され、上昇解除位置に回転されて、ケーブルを解除し、弛緩可能にするように、動作する。  
【０００９】
かかる装置の使用で直面する問題は、実質的に、リールを解放する摘みの上昇によって可能になる解除ステップにおいて、ケーブルが、非制御状態で、瞬時に巻戻り、即座に元の拘束部分を解除する点に関するが、これは、摘みが、通常、リールに把持ステップでのみ拘束されるが、一方で、摘みが上昇状態になる解除ステップでは、アイドルになるリールから摘みが完全に解放されてしまうためである。
【００１０】
摘みが把持位置から上昇されると、ケーブルが瞬時に解除されるため、制御されずに開放されることで、状況によっては、問題が生じるが、特に、この種の締結具が、整形外科及びリハビリテーション分野で使用される整形器具や支持具等の幾つかの特定の用途と組合せて使用される場合に、瞬時の解除状態が規制又は把持位置から始まることで、即座ではなく、好適には、場合によっては必ず、徐々に開放すべき部品を、即座に外れかねないという問題が生じる。
【００１１】
米国特許出願第２００７／００８４９５６Ａ１号（特許文献３）では、紐が巻回されるリールを含む紐締結装置を開示しており、歯付リングがリールに接続されている。摘みは、装置のベースから延伸する管に挿入されるシャフトを有し、リールは、管に回転可能に取付けられている。摘みは、その下側に第１歯を有し、第１歯は、リールが摘みの回転によって駆動されて、リングを締着するように、歯付リングと係合される。摘みは、リールから引離されて、第１歯を歯付リングから離脱でき、それにより紐が緩められる。摘みは、第２歯を含み、ベースは、リールを駆動するために摘みが一方向に回転するのを制限する２つの爪を有する。
【先行技術文献】
【特許文献】
【００１２】
【特許文献１】欧州特許第１２１３９８１ Ｂ１号
【特許文献２】欧州特許第２７８９２５１ Ａ１号
【特許文献３】米国特許出願第２００７／００８４９５６  Ａ１号
【発明の概要】
【発明が解決しようとする課題】
【００１３】
本発明は、上述した欠点を取除く又は少なくとも軽減するために、少なくとも解除ステップ中に制御される、回転操作式摘みシステムによって使用されることができる整形外科リハビリテーション分野用係止装置を提供することを提案する。
【００１４】
本発明は、解除を制御し、急激過ぎる解除を防ぐために、開放が必ず制御されなければならない整形外科リハビリテーション用部品を解除する際に漸進的開放状態にできるように設計された手段の使用を想定する回転操作式摘みシステムを用いて係止装置を特に提供することを提案する。
【課題を解決するための手段】
【００１５】
これは、特徴が主クレームに記載される回転操作式係止装置によって達成される。
【００１６】
本発明による解決方法に関する従属クレームは、本発明の有利な実施形態について記載している。
【００１７】
本発明は、体に装着する矯正又は術後用整形器具の締結具用回転システムであって、摘みが、減速システムを用いて又は直接駆動によってケーブルを巻回するリールに接続され、この接続は、摘みを該摘みの軸に沿って縦方向に摺動可能にするが、摘みをリールと独立して回転可能にはせず、それにより摘みを「規制」位置から「解放」位置に移動できるようにするが、制御された解除状態で、これを行うシステムを提案する。
【００１８】
本発明の他の特徴及び利点は、添付図を援用して非限定的な実施例として提供される一実施形態に関する以下の説明を読めば明らかになるであろう。
【図面の簡単な説明】
【００１９】
【図１】図５の線Ｂ−Ｂに沿った断面による、本発明による回転操作式システムを用いた係止装置の様々な高さでの略水平断面図を示している。
【図２】図５の線Ｃ−Ｃに沿った断面による、本発明による回転操作式システムを用いた係止装置の様々な高さでの略水平断面図を示している。
【図３】図５の線Ｄ−Ｄに沿った断面による、本発明による回転操作式システムを用いた係止装置の様々な高さでの略水平断面図を示している。
【図４】図７の線Ｅ−Ｅによって画定される平面による、上昇開放位置における回転装置の略断面図であり、より細い線で、把持位置の摘みを示している。
【図５】本発明による係止装置の略側面図である。
【図６】図７の線Ａ−Ａによって画定される平面による、摘みが下降された状態の把持位置における係止装置の略断面図であり、より細い線で、解除位置の摘みを示している。
【図７】本発明による係止装置を平面図で示している。
【図８】下から上方に係止装置の各部品を示す略分解図である。
【図９】上から下方に係止装置の各部品を示す略分解図である。
【図１０】摘みが下降把持位置で、鉛直中心面に沿った係止装置の略断面図を示しており、より細い線で、解除位置の摘みを示している。
【図１１】摘みが上昇解除位置で、鉛直中心面に沿った係止装置の略断面図を示しており、より細い線で、把持位置の摘みを示している。
【発明を実施するための形態】
【００２０】
図８及び図９を参照すると、参照記号２０は、全体として、本発明による係止装置を示している。
【００２１】
図８に見られるように、係止装置２０は、ケーシング２１内側に収容される一連の部品を含み、該部品は、下から上に、下側規制リング２２、リール２３、一組の減速ギア２４、及び減速ギアと共に使用されることができる歯付リングナット２６を備える加工頭部付ピン２５から成る。他の実施形態（図示せず）によると、減速ギア２４の組及び歯付リングナット２６は、存在しない。
【００２２】
締結用ケーブル４０は、リール２３周りに巻回され、下側規制リング２２によってリールの所定位置に保持され、ねじ要素３５（図８）によってリールから抜け落ちないように阻止されている。
【００２３】
ケーシング２１の外側には、摘み２７があり、該摘み２７は、ピン２５から突出する加工頭部２５’に、ねじ２８によって固定されることができる。
【００２４】
図８及び図９で示されるように、特に精緻な用途の場合、減速ギア２４が使用され、リール２３は、上側空洞部を含み、該空洞部の内縁には、減速ギア２４と係合するよう設計された歯２９を備える。
【００２５】
摘み２７とリール間の規制は、ピン２５の頭部２５’の形状に配慮して摘みに加工された軸方向開口部３０によって行われ、その結果回転規制が、リールに対する摘みの軸方向摺動と同時に可能になる。  
【００２６】
また、摘み２７は、下側空洞部を有し、該下側空洞部の内側境界には、可撓性の歯付端を有する４分円の弾性タブ３２と係合する歯付縁部３１を備え；歯付縁部３１と弾性タブ３２は、摘み２７を一方向だけに回転可能にするラチェットを構成する。
【００２７】
こうした摘み２７とリール２３の接続は、摘みを該摘みの軸に対して縦方向に摺動可能にするが、摘みをリール２３と独立して回転可能にはせず、それにより、軸方向の規制を維持する。
【００２８】
従って、摘みの軸に沿った移動は、摘み２７をラチェット３１−３２に対する「把持」位置から「解放」位置に切換え可能にするが、摘みとリール間の回転規制を維持する。
【００２９】
リール２３は、減速システム、この例では、外転サイクロイド式によって摘み２７に接続されており、減速ギアなしの直接駆動が想定される場合でも、締結具の螺下及び閉止中の精度を高められる。
【００３０】
摘みは、把持ステップ中に押下げ、解除ステップ時に摘みの軸に沿って引上げることによって、一位置から他の位置にシフトし、摘みを準安定的に（直接駆動で機能するシステム用の）リールと結合可能にする弾性システムから成るラチェットシステムによって選択位置に保持される。
【００３１】
ねじ２８、又は他の同等のシステムは、摘み２７がピン２５から分離するのを防ぎ、上昇開放ステップにおいて止め具として機能し、摘み２７がラチェット解除位置の限界を超えるのを防ぐ。
【００３２】
図１１に見られるように、ピン２５の一部分２５’にある凹形状３３と、摘み２７の空洞部３０にある対応する凸面３４との接触面（ｉｎｔｅｒｆａｃｅ）によって、確実に摘み２７を把持／解除位置に維持できる。これら凸面３４の固有な弾性により、凸面３４は、摘み２７を把持位置から解除位置に（及び解除位置から把持位置に）シフト可能にし、且つ必要な安定性をもって、選択位置を維持可能にする。
【００３３】
把持位置では、摘みは、ケーブルを巻取るように回転されることができるが、ケーシング２１の一部を形成し、ケーシング２１の内側リング状縁部に配置される可撓性の歯によって規制されるため、ケーブルを解除するよう反対方向に回転されることができない。整形外科用途では、ケーシング２１は、整形器具の一部に固定され、リールに部分的に巻回されるケーブル４０は、整形器具の第２部分への接続要素として使用される。
【００３４】
摘み２７が把持位置に回転されると、ケーブルは、引張られ、ケーブルの両端に接続された２部分は、互いに引合わされるが、一方、摘みが、引上げられてケーシングの歯３２から解除されると、整形器具の２部分は、離隔されることができ、人体に拘止された整形器具のこれら部分を解放する。
【００３５】
以上で説明された本発明は、好適な実施形態を参照している。それでもなお、本発明は、技術的均等物に関連して、本開示の範囲に入る多数の変形例が可能であることは、明らかである。
【図１】
0006646195.tif 000002
【図２】
0006646195.tif 000003
【図３】
0006646195.tif 000004
【図４】
0006646195.tif 000005
【図５】
0006646195.tif 000006
【図６】
0006646195.tif 000007
【図７】
0006646195.tif 000008
【図８】
0006646195.tif 000009
【図９】
0006646195.tif 000010
【図１０】
0006646195.tif 000011
【図１１】
0006646195.tif 000012